(57)【要約】【課題】  壁面に大きな取付スペースが要求されることなく奥行きのある棚板を確実に支持できるようにする。【解決手段】  棚板Ｐの基端部を支持する基端部側棚受具１と、棚板Ｐの先端部を支持する先端部側棚受具２とを備えている。基端部側棚受具１、先端部側棚受具２は、双方に棚板Ｐの上下方向の支持位置を調整する支持位置調整機構４、５が設けられてそれぞれ個別に壁面に取付けられる。【選択図】  図１
2006326061.tif 000002
【特許請求の範囲】
【請求項１】
棚板の基端部を支持する基端部側棚受具と、棚板の先端部を支持する先端部側棚受具とを備え、基端部側棚受具，先端部側棚受具は双方に棚板の上下方向の支持位置を調整する支持位置調整機構を設けられてそれぞれ個別に壁面に取付けられる棚取付装置。
【請求項２】
請求項１の棚取付装置において、支持位置調整機構は棚板の下方から操作されるものであることを特徴とする棚取付装置。
【請求項３】
請求項１または２の棚取付装置において、支持位置調整機構は回転動により操作されるものであることを特徴とする棚取付装置。
【請求項４】
請求項１〜３のいずれかの棚取付装置において、先端部側棚受具は壁面に取付けられた取付座に係合構造で取付けられることを特徴とする棚取付装置。
【発明の詳細な説明】
【技術分野】
【０００１】
本発明は、棚板を両持ち式で壁面に取付ける棚取付装置に係る技術分野に属する。
【背景技術】
【０００２】
最近、棚取付装置としては、壁面の表面を大きく改装せずに棚板を取付けるために、棚板の基端部のみを支持する片持ち式からなるものが多用されているが、棚板の支持強度が弱く奥行きのある棚板の取付け困難であるという不具合がある。このため、棚板の支持強度の高い棚取付装置の開発が切望されている。
【０００３】
従来、棚板の支持強度を高めることを指向した棚取付装置としては、例えば、（特許文献１）及び（特許文献２）に記載のものが知られている。
【０００４】
（特許文献１）及び（特許文献２）には、棚板の基端部を支持する棚受具に斜めに配設された斜材を備えた棚取付装置が記載されている。
【０００５】
【特許文献１】特開２００４−１８７９６８号公報
【特許文献２】特開２００４−１７３８７１号公報
【発明の開示】
【発明が解決しようとする課題】
【０００６】
（特許文献１）及び（特許文献２）に係る棚取付装置では、棚受具が斜材によって強化されているものの、依然として奥行きのある棚板の支持には不向きであるという問題点がある。
【０００７】
なお、奥行きのある棚板を支持するには、棚板の基端部，先端部の双方を支持する両持ち式とすることが考えられる。然しながら、棚板の基端部を支持する基端部側棚受具と棚板の先端部を支持する先端部側棚受具とを共通の取付座に精密に組付けないと、棚板を正確に水平に支持することができないため、壁面に大型化した取付座の大きな取付スペースが要求されるという新たな問題点が生じてしまう。
【０００８】
本発明は、このような問題点を考慮してなされたもので、壁面に大きな取付スペースが要求されることなく奥行きのある棚板を確実に支持することのできる棚取付装置を提供することを課題とする。
【課題を解決するための手段】
【０００９】
前述の課題を解決するため、本発明に係る棚取付装置は、特許請求の範囲の各請求項に記載の手段を採用する。
【００１０】
即ち、請求項１では、棚板の基端部を支持する基端部側棚受具と、棚板の先端部を支持する先端部側棚受具とを備え、基端部側棚受具，先端部側棚受具は双方に棚板の上下方向の支持位置を調整する支持位置調整機構が設けられてそれぞれ個別に壁面に取付けられる。
【００１１】
この手段では、共通の取付座を排し基端部側棚受具、先端部側棚受具の棚板の支持位置の誤差を支持位置調整機構で調整することで、棚板を正確に水平に支持する。
【００１２】
また、請求項２では、請求項１の棚取付装置において、支持位置調整機構は棚板の下方から操作されるものであることを特徴とする。
【００１３】
この手段では、棚板を支持した後に支持位置調整機構によってさらに棚板の支持位置を調整することができる。
【００１４】
また、請求項３では、請求項１または２の棚取付装置において、支持位置調整機構は回転動により操作されるものであることを特徴とする。
【００１５】
この手段では、スライド動等に比して狭い操作スペースで操作を行うことができる。
【００１６】
また、請求項４では、請求項１〜３のいずれかの棚取付装置において、先端部側棚受具は壁面に取付けられた取付座に係合構造で取付けられることを特徴とする。
【００１７】
この手段では、棚板の奥行きに対応して簡単に先端部側棚受具を交換することができる。
【発明の効果】
【００１８】
本発明に係る棚取付装置は、共通の取付座を排し基端部側棚受具、先端部側棚受具の棚板の支持位置の誤差を支持位置調整機構で調整することで、棚板を正確に水平に支持することができるため、壁面に大きな取付スペースが要求されることなく奥行きのある棚板を確実に支持することができる効果がある。
【発明を実施するための最良の形態】
【００１９】
以下、本発明に係る棚取付装置を実施するための最良の形態を図面に基づいて説明する。
【００２０】
この形態では、基端部側棚受具１、先端部側棚受具２が共通構造で別個の取付座３を介して壁面Ｗに間接的に取付けられるものを示してある。
【００２１】
この形態は、基端部側棚受具１、先端部側棚受具２にそれぞれ棚板Ｐの上下方向の支持位置を調整する支持位置調整機構４、５が備えられている。
【００２２】
基端部側棚受具１は、図１〜図４に示すように、棚板Ｐの基端部を挟込むコ字形の長尺枠体に形成され、棚板Ｐの上面に当接する上板１１と、棚板Ｐの下面に当接する下板１２と、棚板Ｐの端面に当接する背板１３と、上板１１から延長された格好の係合板１４とが設けられている。上板１１は、先端部に棚板Ｐの上面に線状に当接する突条１１ａが設けられるとともに突条１１ａに続く下面の背板１３側に凹部１１ｂが設けられ、背板１３を支点として全体的に弾性を有している。下板１２は、上板１１よりも奥行きが長く形成され、先端部の長さ方向（奥行き方向と直交する方向）に昇降板４１の昇降を案内する上下方向に深さを有した案内溝１２ａが設けられ、下面の長さ方向に２条の補強リブ１２ｂが設けられ、補強リブ１２ｂの位置の長さ方向の３箇所にネジ付きの貫通孔からなる昇降調整具４２の取付孔１２ｃが設けられている。背板１３は、長さ方向の３箇所に棚板Ｐをネジ止めするネジ６が挿通されるネジ孔１３ａが設けられている。係合板１４は、突出端に取付座３に線状に係合構造で係合される係合部１４ａが設けられている。
【００２３】
基端部側棚受具１に設けられる支持位置調整機構４は、図３、図４に詳細に示されるように、昇降板４１、昇降調整具４２からなる。昇降板４１は、基端部側棚受具１の下板１２の上面に積層される下板１２とほぼ同一の長尺板形に形成され、先端部に基端部側棚受具１の下板１２の先端部付近の全長を覆うように湾曲して下方に延びたカバー部４１ａが設けられ、下面の先端部付近に基端部側棚受具１の下板１２の案内溝１２ａの全長に差込まれる差込板４１ｂが設けられ、上面の長さ方向に微細な山形突起からなる滑止構造４１ｃが２条設けられている。昇降調整具４２は、基端部側棚受具１の下板１２の取付孔１２ｃに螺合されるネジ体に形成され、上端部に先絞り形の尖頭４２ａが設けられ、周面にネジ部４２ｂが刻設され、下端部から角穴４２ｃが堀込まれている。尖頭４２ａは、基端部側棚受具１の下板１２の上面に臨ませられる。角穴４２ｃは、基端部側棚受具１の下板１２の下面（補強リブ１２ｂ）に臨ませられる。
【００２４】
基端部側棚受具１が取付けられる取付座３は、後面が壁面Ｗに当接される長尺枠体に形成され、中央部に基端部側棚受具１の背板１３の全面が当接される隆起した受座面３１が設けられ、受座面３１の上部の内部側に基端部側棚受具１の係合板１４が差込まれて係合部１４ａが係合する係合部３２が設けられ、受座面３１に近接した上下部と上下端付近との全長に上部カバー８、下部カバー９が係合取付けされる取付溝３３、３４が設けられ、上下端付近の長さ方向の４箇所ずつに壁面Ｗにネジ止めするためのネジ７が挿通されるネジ孔３５が設けられている。上部カバー８、下部カバー９は、取付座３の凹凸を隠して装飾性を高めるものである。なお、取付座３の両側端部には、図２に示すように、取付座３の凹凸を隠して装飾性を高める側部カバー１０が側方から嵌合取付けされる。従って、取付座３は、基端部側棚受具１よりも側部カバー１０の幅分長く形成されている。
【００２５】
基端部側棚受具２は、図１、図２、図５〜図７に示すように、１枚の棚板Ｐについて２本備えられ、先端部が棚板Ｐの先端部付近の下面に突当てられる変形のＬ字形の円柱材のアーム２１と、アーム２１の基端部にネジ２２で取付けられた係合部材２３とからなる。係合部材２３は、取付座３の受座面３１に当接する背板２３ａにネジ２２が挿通されるネジ孔２３ｂが穿孔され、背板２３ａから直交するように突出して取付座３の係合部３２に係合する係合部２３ｃが設けられている。
【００２６】
先端部側棚受具２に設けられる支持位置調整機構５は、図６、図７に詳細に示されるように、基端部側棚受具２のアーム２１の先端部に刻設されたネジ部５１と、ネジ部５１に螺合する円筒形の調整筒５２と、棚板Ｐの先端部付近の下面にボルト５３で取付けられるリング座５４と、調整筒５２をリング座５４に回転可能に取付けるボルト５５、ワッシャ５６とからなる。
【００２７】
基端部側棚受具１が取付けられる取付座３は、基端部側棚受具１が取付けられるものと同一構造である。
【００２８】
この形態の棚板Ｐの取付工事では、取付座３をネジ７で壁面Ｗに取付けておく。
【００２９】
そして、基端部側棚受具１の下面１２に支持位置調整機構４の昇降板４１を積層させ、基端部側棚受具１の下面１２の案内溝１２ａに昇降板４１の差込板２２を差込む。また、基端部側棚受具１の下面１２の取付孔１２ｃに支持位置調整機構４の昇降調整具４２を螺合取付けする。
【００３０】
この後、基端部側棚受具１の上面１１、下面１２（支持位置調整機構４の昇降板４１）の間に棚板Ｐを差込んで背板１３に突当てる。続いて、支持位置調整機構４の昇降調整具４２を角ドライバ等で回動して尖頭４２ａで昇降板４１を押し、昇動した昇降板４１で棚板Ｐを基端部側棚受具１の上面１１に押圧する。この結果、棚板Ｐの基端部が基端部側棚受具１に挟込み保持される。なお、基端部側棚受具１の下面１２の補強リブ１２ｂは、棚板Ｐの押圧の反力に対抗して下面１２の変形を阻止する。また、支持位置調整機構４の昇降板４１の滑止構造４１ｃは、基端部側棚受具１の上面１１の弾性とともに押圧される棚板Ｐのスリップを防止する。また、支持位置調整機構４の昇降板４１のカバー部４１ａは、昇動した支持位置調整機構４の昇降板４１と基端部側棚受具１の下面１２との間に形成される隙間を隠して装飾性を高める。
【００３１】
続いて、ネジ６で棚板Ｐを基端部側棚受具１の背板１３にネジ止めする。このネジ止めは、棚板Ｐの奥行き方向への位置ずれを確実に防止する。
【００３２】
続いて、基端部側棚受具１を壁面Ｗに既に取付けられている取付座３に係合取付けする。この係合取付けについては、ワンタッチで簡単に行うことができる。また、取付けられた基端部側棚受具１は、係合板１４の係合部１４ａと取付座３の係合部３２との係合に加えて、背板１３と取付座３の受座面３１との当接によって、取付座３に確実に取付保持される。
【００３３】
続いて、取付座３に上部カバー８、下部カバー９、側部カバー１０を係合取付け、嵌合取付けする。
【００３４】
また、先端部側棚受具２を基端部側棚受具１と同様に別個（壁面Ｗの下方に取付けられている）の取付座３に係合取付けする。なお、取付座３に係合取付けに先行して、先端部側棚受具２のアーム２１を支持位置調整機構５の調整筒５２に螺合させておく。なお、先端部側棚受具２、取付座３が係合されているため、棚板Ｐの奥行きに対応して先端部側棚受具２のアーム２１の長さの異なるものを自由に選択使用することができる。
【００３５】
図１、図２に示すように、棚板Ｐの取付工事が完了した状態では、障害物がなく開放されている支持位置調整機構４の昇降調整具４２と支持位置調整機構５の調整筒５２とを回動させて、支持位置調整機構４の昇降板４１を昇降させたり支持位置調整機構５の調整筒５２（リング座５４）を昇降させたりして、棚板Ｐの支持をがた付きのないように安定化させることができ、棚板Ｐの基端部側、先端部側の傾斜をも調整することができる。なお、支持位置調整機構４の奥行き方向の２列の昇降調整具４２の回動量を異ならせることによっても、棚板Ｐの基端部側、先端部側の傾斜を調整することができる。このような支持位置調整機構４の昇降調整具４２と支持位置調整機構５の調整筒５２との回転動の操作は、狭いスペースでの作業を可能にする。
【００３６】
従って、棚板Ｐの基端部を支持する基端部側棚受具と棚板Ｐの先端部を支持する先端部側側棚受具２とを共通の取付座３に精密に組付けなくても、棚板Ｐを正確に水平に支持することができ、壁面Ｗに大型化した取付座３の大きな取付スペースが要求されることがなくなる。
【００３７】
以上、図示した各例の外に、１個の取付座３に複数個の棚板Ｐ、基端部側棚受具１を取付けることも可能である。
【００３８】
さらに、基端部側棚受具１、先端部側棚受具２を壁面Ｗに直接取付けるように構成することも可能である。
【図面の簡単な説明】
【００３９】
【図１】本発明に係る棚取付装置を実施するための最良の形態の断面図である。
【図２】図１の斜視図である。
【図３】図１に要部の拡大縦断面図である。
【図４】図１の要部の分解斜視図である。
【図５】図１の他の要部の拡大縦断面図である。
【図６】図１のさらに他の要部の拡大縦断面図。
【図７】図６の要部の斜視図である。
【符号の説明】
【００４０】
１      基端部側棚受具
２      先端部側棚受具
３      取付座
４、５  支持位置調整機構
Ｐ      棚板
Ｗ      壁面
【図１】
2006326061.tif 000003
【図２】
2006326061.tif 000004
【図３】
2006326061.tif 000005
【図４】
2006326061.tif 000006
【図５】
2006326061.tif 000007
【図６】
2006326061.tif 000008
【図７】
2006326061.tif 000009